(57)【要約】【課題】  厚みの大きい材料を使用したタックラベル本体と台紙とを粘着層を介して積層したタックラベルであっても、小冊子状に折り畳む際に、容易に且つ綺麗に折り畳むことができるタックラベルを提供する。【解決手段】  裏面に粘着層を有しているタックラベル本体に、同一形状又は略同一形状の台紙が前記粘着層を介して積層され、横折線と、該横折線に対して直交する少なくとも３本以上の奇数本の縦折線とを設け、横折線と最も外側の縦折線との交点を結んで横折線に沿って切れ込みを設け、台紙が内側になるように横折線を山折りにしてから、最も外側の縦折線同士が当接するように前記切れ込みによって分断された各縦折線を山折り又は谷折りにして全体を折り畳むことで小冊子状とすることができるタックラベルにおいて、最も外側における両縦折線間におけるタックラベル本体であって、小冊子状に折り畳んだ際に現れる表面における小口側の縦折線に沿って第１切れ込みが形成され、また、背側の縦折線６に沿って第２切れ込みが設けられる。【選択図】  図１
2006337741.tif 000002
【特許請求の範囲】
【請求項１】
裏面に粘着層を有しているタックラベル本体に、同一形状又は略同一形状の台紙が前記粘着層を介して積層され、横折線と、該横折線に対して直交する少なくとも３本以上の奇数本の縦折線とを設け、横折線と最も外側の縦折線との交点を結んで横折線に沿って切れ込みを設け、台紙が内側になるように横折線を山折りにしてから、最も外側の縦折線同士が当接するように前記切れ込みによって分断された各縦折線を山折り又は谷折りにして全体を折り畳むことで小冊子状とすることができるタックラベルにおいて、最も外側における両縦折線間におけるタックラベル本体であって、小冊子状に折り畳んだ際に現れる表面における小口側の縦折線に沿って第１切れ込みが形成され、また、背側の縦折線に沿って第２切れ込みが設けられることを特徴とするタックラベル。
【請求項２】
前記第１切れ込みは、前記小口側の縦折線から前記背側の縦折線が設けられている方向と反対方向にずれた位置に設けられることを特徴とする請求項１記載のタックラベル。
【請求項３】
前記ずれ量は、タックラベルを小冊子状に折り畳んだ際の表紙を除いた残りの頁全ての厚みの和とすることを特徴とする請求項２記載のタックラベル。
【請求項４】
裏面に粘着層を有しているタックラベル本体に、同一形状又は略同一形状の台紙が前記粘着層を介して積層され、横折線と、該横折線に対して直交する少なくとも３本以上の奇数本の縦折線とを設け、横折線と最も外側の縦折線との交点を結んで横折線に沿って切れ込みを設け、台紙が内側になるように横折線を山折りにしてから、最も外側の縦折線同士が当接するように前記切れ込みによって分断された各縦折線を山折り又は谷折りにして全体を折り畳むことで小冊子状とすることができるタックラベルにおいて、最も外側における両縦折線間におけるタックラベル本体であって、小冊子状に折り畳んだ際に現れる表面における小口側の縦折線が該表面の背側の縦折線が設けられる方向と反対方向にずらして設けられることを特徴とするタックラベル。
【請求項５】
前記タックラベル本体及び台紙は横長の略矩形状に形成され、前記小冊子状に折り畳んだ際に現れる表面のうち、前記ずらした縦折線を含む面と反対側の表面の幅が、前記横折線から離れるに従って小口側外方に拡がることを特徴とする請求項４記載のタックラベル。
【発明の詳細な説明】
【技術分野】
【０００１】
本発明は、タックラベルに関するものであり、特に、折り畳むことで小冊子状とすることができるタックラベルに関する。
【背景技術】
【０００２】
従来、大判のタックラベルは持ち歩くには不便であった。そこで、図４（イ）乃至（ハ）に示す如く、大判の印刷物１’が、横折線２’、該横折線２’に対して直交する中央の縦折線３’、及び該縦折線３’と等間隔の左右の縦折線４’，５’を設け、横折線２’と縦折線４’，５’との各交点６’，６’を結んで横折線２’に沿って切れ込み７’を設け、横折線２’を山折りにしてから、前記切れ込み７’によって分断された各縦折線３’を山折りにしてその左右の縦折線４’，５’を当接させて、全体を折り畳むことで小冊子状にできる（特許文献１乃至４）ことを利用して、これら印刷物と同形状とし、大判であっても折り畳むことで小さくして持ち歩くのに便利なタックラベルが提供されている。尚、頁数が多くても小冊子状に折り畳むことができるものも特許文献５に開示されている。
【特許文献１】特開２００１−１５０８３３号公報
【特許文献２】特開平９−２９０５８１号公報
【特許文献３】実開平３−９８５８号公報
【特許文献４】実開昭５７−５６１７４号公報
【特許文献５】特開平１０−９５１８１号公報
【発明の開示】
【発明が解決しようとする課題】
【０００３】
しかしながら、図５に示す如く、大判のタックラベル１”を折り畳んで小冊子状とした際、表紙を除く小冊子の３頁は、折り畳まれた６層から構成されるため、表紙表面Ｃ”の背側端部ｃ”と表紙裏面Ｒ”の背側端部ｒ”とが表紙を除く３頁分の厚みｄ”だけ離れた状態となる。
【０００４】
この時、タックラベル１”の厚みは、タックラベル本体と台紙とを粘着層を介して積層したものであることから、それぞれの厚みの和となる。そして、厚みの大きい材料を使用した場合には、表紙を除く３頁分の厚み（即ち、表紙表面Ｃ”の背側端部ｃ”と表紙裏面Ｒ”の背側端部ｒ”との距離）ｄ”は大きなものとなる。
【０００５】
この状態で表紙を閉じようとすると、表紙表面Ｃ”と表紙裏面Ｒ”との幅は等しく形成されているため、表紙表面Ｃ”の背側端部ｃ”と表紙裏面Ｒ”の背側端部ｒ”の位置の差ｄ”があることによって、表紙裏面Ｒ”が円弧状に膨出して表紙がループ状に膨らんだ形状（所謂、トンネルループ形状）となる。
【０００６】
このループ状に膨らんだ表紙をさらに閉じるためには前記ループ状の膨らみを解消する必要があるが、そのためには前記表紙表面Ｃ”と前記表紙裏面Ｒ”との境界に設けられた縦折線の代わりに、表紙を除く３頁分の厚みｄ”の１／２だけ裏面側にずれた位置に新たな縦折線を設けなければならない。
【０００７】
しかし、タックラベル本体と台紙との厚みが大きい場合には、これらが積層されているタックラベル自体の厚みが大きくなるため、元の縦折線の近傍に新たな縦折線を歪むことなく綺麗に設けることは非常に難しい。
【０００８】
さらに、小冊子は表紙を除き３頁分の厚みがあるので、小冊子の背の部分もその幅ｄ”が必要であり、表紙表面Ｃ”の背側端部ｃ”から折り畳まれた６層分内側の位置（即ち、背側端部ｃ”からｄ”内側の位置）に新たな縦折線を設ける必要もある。
【０００９】
しかし、この場合も、前記同様、タックラベル自体の厚みが原因となって、元の縦折線の近傍に新たな縦折線を歪むことなく綺麗に設けることは非常に難しい。
【００１０】
そこで、本発明は、上記問題点に鑑みてなされたもので、厚みの大きい材料を使用したタックラベル本体と台紙とを粘着層を介して積層したタックラベルであっても、小冊子状に折り畳む際に、容易且つ綺麗に折り畳むことができるタックラベルを提供することを課題とする。
【課題を解決するための手段】
【００１１】
上記課題を解消すべく、本発明に係るタックラベルでは、裏面に粘着層を有しているタックラベル本体に、同一形状又は略同一形状の台紙が前記粘着層を介して積層され、横折線と、該横折線に対して直交する少なくとも３本以上の奇数本の縦折線とを設け、横折線と最も外側の縦折線との交点を結んで横折線に沿って切れ込みを設け、台紙が内側になるように横折線を山折りにしてから、最も外側の縦折線同士が当接するように前記切れ込みによって分断された各縦折線を山折り又は谷折りにして全体を折り畳むことで小冊子状とすることができるタックラベルにおいて、最も外側における両縦折線間におけるタックラベル本体であって、小冊子状に折り畳んだ際に現れる表面における小口側の縦折線に沿って第１切れ込みが形成され、また、背側の縦折線に沿って第２切れ込みが設けられることを特徴とする。
【００１２】
上記構成のタックラベルによれば、小冊子状に折り畳む際に、表紙がループ状になったとしても、表紙表面と表紙裏面との境界（表紙小口側の境界）に設けられた前記小口側の縦折線に沿って第１切れ込みが設けられているので、表紙のループ状を解消するために前記小口側の縦折線から裏面側にわずかにずれた位置に新たな縦折線を設ける際、タックラベル本体は、該第１切れ込みから台紙と剥離してしまうので台紙だけを折り曲げればよい。
【００１３】
従って、タックラベル本体と台紙とを共に折り曲げるよりも前記新たに設ける縦折線部の厚みは薄くなるので、容易且つ歪むことなく綺麗に折り曲げることができる。
【００１４】
さらに、タックラベルを折り畳むと数頁からなる小冊子状となるので、小冊子にはその数頁分の厚みのある背の部分を形成する必要がある。そのため、表紙表面の背側端部から表紙を除く数頁分だけ小口側の位置に、新たな縦折線を設ける必要がある。その際、表紙表面の背側端部に設けられている前記背側の縦折線に沿って第２切れ込みが設けられているので、該第２切れ込みからタックラベル本体が台紙と剥離して台紙のみを折り曲げればよく、前記同様、容易且つ歪むことなく綺麗に折り曲げることができる。
【００１５】
また、前記第１切れ込みは、前記小口側の縦折線から前記背側の縦折線が設けられている方向と反対方向にずれた位置に設けられる構成を採用することが好ましい。
【００１６】
これは、前述したように、タックラベルを小冊子状に折り畳む際に、ループ状になった表紙の該ループ状を解消するために、前記小口側の縦折線から表紙裏面側にわずかにずれた位置に新たな縦折線を設けなければならない。その際、前記第１切れ込みが前記小口側の縦折線上、又は前記小口側の縦折線から前記背側の縦折線が設けられている方向と同方向にずれた位置に設けられた場合には、表紙裏面における第１切れ込みから台紙と剥離したタックラベル本体の小口側端部の粘着面が、小冊子の表紙表面側を向いて表紙小口側端部から突出した状態となる。
【００１７】
しかし、上記構成を採用することで、第１切れ込みは、前記小口側の縦折線から前記背側の縦折線が設けられている方向と反対方向（即ち、表紙表面から表紙裏面に向かう方向）に設けられているので、表紙裏面におけるタックラベル本体の幅が狭くなり、前記粘着面の突出長さが減少し、又は無くなる。
【００１８】
従って、タックラベルを小冊子状に折り畳んだ際、表紙小口側端部から突出したタックラベル本体は、上記構成を採用することで、前記粘着面の突出長さが減少し、又は無くなるためゴミ等が付着することが少なく汚れ難くなる。
【００１９】
さらに、前記ずれ量は、タックラベルを小冊子状に折り畳んだ際の表紙を除いた残りの頁全ての厚みの和とする構成を採用することが好ましい。
【００２０】
タックラベルを小冊子状に折り畳んだ際、ループ状になった表紙の該ループ状を解消するために新たな縦折線を設けることで、表紙は他の頁と比べて幅狭となる。しかし、上記構成を採用することで、表紙の小口側端部から表紙表面側のタックラベル本体端部が、粘着面を表紙裏面側に向けて突出した状態となり、しかも、該突出によって形成される突出片の突出長さが、幅狭となった表紙の狭くなった幅と略等しくなる。
その結果、前記突出片が、幅狭となった表紙小口側端部からはみ出している後の頁を過不足なく覆い隠すことができ、より見栄えのよい小冊子状とすることができる。
【００２１】
また、裏面に粘着層を有しているタックラベル本体に、同一形状又は略同一形状の台紙が前記粘着層を介して積層され、横折線と、該横折線に対して直交する少なくとも３本以上の奇数本の縦折線とを設け、横折線と最も外側の縦折線との交点を結んで横折線に沿って切れ込みを設け、台紙が内側になるように横折線を山折りにしてから、最も外側の縦折線同士が当接するように前記切れ込みによって分断された各縦折線を山折り又は谷折りにして全体を折り畳むことで小冊子状とすることができるタックラベルにおいて、最も外側における両縦折線間におけるタックラベル本体であって、小冊子状に折り畳んだ際に現れる表面における小口側の縦折線が該表面の背側の縦折線が設けられている方向と反対方向にずらして設けられる構成としてもよい。
【００２２】
上述したように、タックラベル本体を小冊子状に折り畳むと表紙がトンネルループ形状となり、該ループ形状を解消するためには、小口側の縦折線から裏面側にわずかにずれた位置に新たな縦折線を設ける必要がある。しかし、上記構成とすることで、前記新たな縦折線を設ける位置にあらかじめ縦折線が設けられているため、ループ形状を生じることなくタックラベル本体を小冊子状に容易且つ綺麗に折り曲げることができるようになる。
【００２３】
また、前記タックラベル本体及び台紙は横長の略矩形状に形成され、前記小冊子状に折り畳んだ際に現れる表面のうち、前記ずらした縦折線を含む面と反対側の表面の幅が、前記横折線から離れるに従って小口側外方に拡がる構成を採用することが好ましい。
【００２４】
上記構成とすることで、厚みのあるタックラベル本体及び台紙を折り畳んで矩形の小冊子状にしても、各頁の四辺が正面視においてほぼ揃った小冊子状とすることができるようになる。
【発明の効果】
【００２５】
以上のように、本発明に係るタックラベルは、厚みの大きい材料を使用したタックラベル本体と台紙とを粘着層を介して積層したタックラベルであっても、小冊子状に折り畳む際に、容易且つ綺麗に折り畳むことができるようになる。
【発明を実施するための最良の形態】
【００２６】
以下、本発明に係るタックラベルの実施形態について説明する。尚、本発明は、これらの実施形態にのみ限定されるものではなく、本発明の要旨を変更しない範囲での種々の変更が可能である。
【００２７】
先ず、第一実施形態について図１乃至３に基づき説明する。本実施形態に係るタックラベル１は、図１を正面図として、正面視横長矩形のシート状のタックラベル本体（以下、単に「本体」と言う。）２と、同一形状のシート状の台紙３とが粘着層４を介して積層される。
【００２８】
ここで、本体２は紙製材料であり、台紙３も紙製材料である。尚、本体２及び台紙３は、プラスチック材料等の可撓性材料を使用してもよい。また、本体２と台紙３との両方が同じ材料である必要はなく異なった材料であってもよい。また、本体２と台紙３とは、シート状よりさらに薄いフィルム状であってもよい。
【００２９】
前記タックラベル１には、上下幅の中央に横折線５が一方の側辺から他方の側辺に至るまで直線状に設けられる。また、該横折線５に対して直交する中央の縦折線７と、及び該縦折線７と等間隔の左右の縦折線６，８が設けられる。該縦折線６，７，８は、前記横折線を３等分して直交し、タックラベルの上辺から下辺に至るまで直線状に設けられる。
【００３０】
前記横折線５と縦折線６，８との交点９，９間を結んで、横折線５の上に本体２と台紙３とを共に貫通した切れ込み１０が設けられる。この切れ込み１０は直線状で、且つ、長さがタックラベル１の左右幅の１／２の長さに設けられる。
【００３１】
前記縦横の各折線５，６，７，８によって、タックラベル１は、上下が２行で左右が４列の８つの区画に画定され、タックラベル１の縦横の長さの関係によって、各区画は縦長矩形に形成される。
【００３２】
本体２は、各区画が中央に設けられる切れ込み１０を除いて全てミシン目によって連接される。即ち、本体２は、シート状の本体２に対し、切れ込み１０を除く縦横の各折線５，６，７，８上にミシン目を形成することにより、各区画は平滑に連接される。また、台紙３は、各区画が中央に設けられる切れ込み１０を除いて平滑に連接される。即ち、台紙３は、シート状の台紙３に対し、切れ込み１０のみが設けられる。尚、台紙３のタックラベル本体２に設けられた各折線に対応する位置にミシン目が設けられてもよい。
【００３３】
横折線５と縦折線６と縦折線７とによって画定される区画（上から２行目で左から２列目の区画）は、後述するようにタックラベル１を折り畳んで小冊子状とした際に表紙の表面である表紙表面Ｃとなる。また、該表紙表面Ｃの右側に隣接する区画（上から２行目で左から３列目の区画）は、タックラベル１を折り畳んで小冊子とした際に表紙の裏面である表紙裏面Ｒとなる。
【００３４】
本体２の前記表紙表面Ｃと表紙裏面Ｒとの境界部には、縦折線７からタックラベルの厚みｔの６倍（６ｔ）だけ右側にオフセットされた位置に第１切れ込み１１が設けられる。また、前記表紙表面Ｃと、その左側に隣接する区画（上から２行目で左から１列目の区画）との境界部には、縦折線６の上に第２切れ込み１２が設けられる。
【００３５】
そして、本体２の表面には、動物や乗り物などの種々の絵等が描かれ、これらの絵の外側を囲むように切れ込みが設けられることで、種々の絵が描かれたタックラベル本体片（以下、単に「本体片」と言う。）１３が形成される。そして、該本体片１３は、本体２から分離して台紙３と剥離することができるように形成される。
【００３６】
尚、本体２には本体片１３が複数設けられてもよい。また、複数の本体片１３，１３，…を分離した残りの本体２も台紙３から剥離することができるように構成されてもよい。さらに、本体片１３に描かれているものは、絵に限定されず文字や記号等であってもよい。また、本体２が複数の本体片１３，１３，…のみで構成されていてもよい。
【００３７】
本実施形態に係るタックラベル１は、以上の構成からなり、次に使用態様を説明する。
【００３８】
タックラベル１は、台紙３が内側になるように横折線５を山折りにする。次に、切れ込み１０によって分断された各縦折線７を山折りにしてその左右の縦折線６，８を当接させる。この時、全体は平面視略十字形となる。そして、前記表紙表面Ｃが表面に現れるように折り畳むことで小冊子状とする。
【００３９】
そして、図２（イ）及び（ロ）に示す如く、タックラベル１を小冊子状に折り畳むと、
表紙を除く小冊子の３頁が、折り畳まれた６層から構成されるため、表紙表面Ｃの背側端部ｃと表紙裏面Ｂの背側端部ｒとが表紙を除く３頁分の厚みｄ（即ち、タックラベルの厚みｔの６倍である６ｔ）だけ離れた状態となる。
【００４０】
この状態のままで表紙を閉じていくと、表紙表面Ｃは、表紙裏面Ｒの回動軸Ｓ（表紙裏面Ｒの背側端部ｒ）と同軸で回動することになるため、表紙表面Ｃの回動部分の幅が表紙表面Ｃの幅よりもｄだけ短くなる。この幅の違いによって、表紙表面Ｃと表紙裏面Ｒとで構成される表紙は、表紙裏面Ｒが円弧状に膨出したループ状に膨らむ。
【００４１】
さらに、このまま表紙を閉じ続けると、図２（ロ）に示す如く、表紙表面Ｃの小口側は、縦折線６の代わりに該縦折線６から１／２ｄ（即ち、３ｔ）だけ右側（表紙表面Ｃから表紙裏面Ｒの方向）に新たな縦折線６（ｎｅｗ）が設けられることで前記ループ状の膨らみが解消される。その結果、表紙が他の頁よりも前記厚みｄの１／２の長さ（換言すると３ｔ）だけ短くなった状態になる。
【００４２】
この時、図３（イ）に示す如く、本体２は厚みのある部材であることから折れ曲がり難いため、新たな縦折線６（ｎｅｗ）では台紙３のみが折り曲げられると共に、表紙表面Ｃの小口側の元の縦折線６から第１切れ込み１１までの本体２の部分は、折れ曲がらずに台紙３と剥離して、略真っ直ぐな小口側突出片１４を形成する。
【００４３】
一方、表紙表面Ｃの背側は、図３（ロ）に示す如く、小冊子の背の部分を形成するために縦折線７からｄだけ内側（小口側）に新たな縦折線７（ｎｅｗ）を設ける必要があり、その際、前記と同様、折り畳んだタックラベル１の６層分の厚みｄだけ突出した背側突出片１５を形成する。
【００４４】
以上のように折り畳んで小冊子状になったタックラベル１は、使用したい絵柄の本体片片１３が設けられている頁を開き、目的の本体片１３を台紙から剥離される。その後、この剥離した本体片１３を目的の場所に貼着する。
【００４５】
以上説明したように、本発明の一実施形態によれば、本体２に第１切れ込み１１が設けられることで、タックラベル１を小冊子状に折り畳む際に表紙がループ状になったとしても、該ループ状を解消して表紙をそのまま閉じるために必要となる新たな縦折線６（ｎｅｗ）を形成し易くなる。即ち、新たな縦折線６（ｎｅｗ）を設ける際に、第１切れ込み１１が設けられることで、そこから本体２の表紙表面Ｃの小口側が台紙と剥離するため、台紙３のみを折り曲げればよく、本体２と台紙３とを同時に折り曲げるより厚みが薄く、また柔らかいので、容易に且つ歪むことなく綺麗に折り曲げることができる。
【００４６】
また、小冊子の背の部分を形成するのに、第２切れ込み１２が設けられていることから、背の部分を形成するための新たな縦折線７（ｎｅｗ）を設ける際に、本体２の表紙表面Ｃの背側端部ｃが第２切れ込み１２から台紙３と剥離する。その結果、前記同様、台紙３のみを折り曲げればよく、タックラベル本体２と台紙３とを同時に折り曲げるより容易に且つ歪むことなく綺麗に折り曲げることができる。
【００４７】
さらに、第１切れ込み１１が、縦折線６からタックラベル１の厚みｔの６倍（６ｔ）だけ右側にずらした位置に設けられることで形成される小口側突出片１４の突出長さは、タックラベル１を小冊子状に折り畳むことで幅狭となる表紙の狭くなった幅分と略同一であることから、その小口側端部（新たな縦折線６（ｎｅｗ）によって形成された表紙端部）からはみ出る後の頁が前記小口側突出片１４によって過不足なく隠されることとなり、見栄えのよい小冊子状とすることができる。
【００４８】
次に第二実施形態について説明する。第一実施形態に係るタックラベル１と構成上の異なる点は、タックラベル本体２及び台紙３に設けられた横折線５及び各縦折線６，７，８がミシン目で構成されている点、第２切れ込み１２が設けられていない点、縦折線７のスリットより下方部分と第１切れ込み１１とが設けられる代わりに、その中心位置にミシン目で構成された新たな縦折線が設けられている点、表紙表面Ｃの左側に隣接する区画（裏表紙表面）の左側辺（小口側辺）が、下方（横折線５から離れる方向）に行くに従って区画の幅がわずかに外方に拡がるような斜辺に形成されている点である。その他は、基本的には第一実施形態と同じである。
【００４９】
上記構成のタックラベルを上述の第一実施形態と同様にして小冊子状に折り畳むと、第一実施形態同様に表紙がループ形状となる。しかし、ミシン目で構成された前記新たな縦折線が、第一実施形態の縦折線７の右側（折り畳んだ際に表紙の裏面方向）にオフセットして設けられているため、係るミシン目部分（新たな縦折線部分）が折れ曲がることで前記ループを解消する。その結果、タックラベルを容易且つ綺麗に小冊子状に折り畳むことができる。尚、本実施形態において、前記新たな縦折線は、第一実施形態の縦折線７よりタックラベル１の厚みｔの３倍（３ｔ）だけ右側にオフセットした位置に設けられている。
【００５０】
また、厚みのあるタックラベル１を折り畳んで小冊子状にした際、背の部分は、一定の幅が必要となるため、裏表紙の小口側下方（横折線５と反対方向）が背側に引っ張られる傾向がある。それによって、裏表紙小口側から各頁の小口側端部が僅かに突出した状態（小冊子の裏表紙と各頁との小口側端部が不揃いの状態）になり見栄えが悪くなる。そこで、前記裏表紙小口側端部から突出した各頁の小口側端部を隠すように、該裏表紙表面の小口側側辺を斜辺に形成することで、正面視において各頁の四辺がほぼ揃った矩形状の小冊子とすることができ見栄えが良くなる。尚、本実施形態においては、斜辺が形成された区画の上端と下端との幅の差は、１ｍｍ程度とする。
【図面の簡単な説明】
【００５１】
【図１】本発明の一実施形態に係るタックラベルの展開した状態の正面図を示す。
【図２】同実施形態に係るタックラベルを折り畳んだ状態の、（イ）は、表紙を９０°開いた状態の平面視の概念図を示し、（ロ）は、表紙を閉じた状態の平面視の概念図を示す。
【図３】同実施形態に係るタックラベルを折り畳んだ状態の、（イ）は、表紙小口側の部分拡大平面図を示し、（ロ）は、表紙背側の部分拡大平面図を示す。
【図４】（イ）乃至（ハ）は、従来の大判の印刷物の折り畳みの過程を示す。
【図５】従来の大判のタックラベルを折り畳んだ状態で表紙を９０°開いた状態の平面視の概念図を示す。
【符号の説明】
【００５２】
１…タックラベル、２…タックラベル本体、３…台紙、４…粘着層、５…横折線、６，７，８，…縦折線、６（ｎｅｗ），７（ｎｅｗ）…新たな縦折線、９，９…交点、１０…スリット、１１…第１切れ込み、１２…第２切れ込み、１４…小口側突出片、１５…背側突出片
【図１】
2006337741.tif 000003
【図２】
2006337741.tif 000004
【図３】
2006337741.tif 000005
【図４】
2006337741.tif 000006
【図５】
2006337741.tif 000007
【手続補正書】
【提出日】平成17年6月10日(2005.6.10)
【手続補正１】
【補正対象書類名】図面
【補正対象項目名】図１
【補正方法】変更
【補正の内容】
【図１】
2006337741.tif 000008